【事件の表示】
　特願２００１−　１６２０６「液晶表示装置、発光素子、液晶表示装置の製造方法」拒絶査定不服審判事件〔平成１４年　１月１８日出願公開、特開２００２−　１４３４３〕について、次のとおり審決する。
【結　論】
　本件審判の請求は、成り立たない。
【理　由】
第１．手続の経緯
平成１３年　１月２４日　特許出願
（優先権主張平成１２年４月２６日）
平成１５年　３月　６日　拒絶理由通知
平成１５年　５月１２日　手続補正
平成１５年　８月　１日　拒絶査定
平成１５年　９月　４日　審判請求
平成１５年　９月　４日　手続補正
　
第２．本願の請求項に係る発明
　平成１５年９月４日付けの手続補正は、補正前の請求項７、８、１１ないし１３を削除するものであり、補正の要件に適合する。したがって、本願の請求項に係る発明は、平成１５年５月１２日付け手続補正書で補正された明細書及び図面の記載からみて、特許請求の範囲の請求項１ないし８に記載された事項により特定されるとおりのものであるところ、その請求項１に係る発明は下記のものである（以下「本願発明」という）。
　
　　　　　　　　　　　　　　　　　記
　
【請求項１】複数の反射手段を有する液晶表示装置と、該液晶表示装置の表示面の前方に配置されて、該複数の反射手段の方向へ光を発する照明手段を有する液晶表示装置であって、
　前記照明手段は、通電すると光を発する性質の材料を含む光を発する領域と、光を透過する領域とを有し、
　前記照明手段の前記光を発する領域の前記液晶表示装置へ対向しない側の面が光を吸収する性質を持つことを特徴とする液晶表示装置。
　
第３．引用例の記載
　原査定の拒絶の理由に引用され、本願の優先権主張日前に頒布された、特開平１１−３０５２２４号公報（以下「引用例」という）には、各図とともに以下の事項が記載されている。
　
（１）「【０００１】【発明の属する技術分野】本発明は、前面に照明装置を備えた反射型の液晶表示装置に関する。」
　
（２）「【００１０】ところで、反射型液晶表示装置は低消費電力であるため、屋外で使われることが多く、小型情報携帯端末に搭載されていることが多い。」
　
（３）「【００１２】【課題を解決するための手段】本発明は、反射型の液晶セルを有する反射型液晶表示装置であって、上記液晶セルを照明する照明装置として、プラスチックフィルムからなる基板を有する有機エレクトロルミネッセンス（ＥＬ）素子が用いられ、かつ、上記照明装置の発光面が上記液晶セル側に配置されている液晶表示装置である。」
　
（４）「【００１３】【発明の実施の形態】以下に本発明の液晶表示装置の実施の形態を図面に基づいて説明するが、本発明はこれらに限定されるものではない。図１は、本発明の液晶表示装置の実施の形態を模式的に示す断面図であり、図２は、上記液晶表示装置の金属電極を模式的に示す平面図である。
【００１４】図１に示すように、本発明の液晶表示装置は、反射型液晶セル１と有機ＥＬ素子２とから構成されている。反射型液晶セル１は、通常の反射型液晶セルと同様に構成されており、液晶表示体と反射板とから構成されている。
【００１５】有機ＥＬ素子２は、プラスチックフィルム基板３、透明電極層４、正孔注入層５、正孔輸送層６、電子輸送性発光層７、及び、金属電極層８から構成されており、通常、プラスチックフィルム基板３上に、順次、透明電極層４、正孔注入層５、正孔輸送層６、電子輸送性発光層７、金属電極層８が、真空蒸着等の薄膜形成法を用いて形成されている。
【００１６】プラスチックフィルム基板３の材料は特に限定されないが、機械的な耐久性に優れたものが好ましく、このような材料としては、例えば、ポリエチレンテレフタレート（ＰＥＴ）、ポリアリレート（ＰＡＲ）、ポリカーボネート（ＰＣ）、ポリエーテルスルフォン（ＰＥＳ）等を挙げることができる。
【００１７】透明電極層４の材料は特に限定されず、例えば、Ｉｎｄｉｕｍ　Ｔｉｎ　Ｏｘｉｄｅ（ＩＴＯ）等を挙げることができる。正孔注入層５の材料は特に限定されないが、分子全体の３次元性が大きく、かつ、成膜後のアモルファス状態で安定性が大きいという観点から、二重結合を有さない窒素を４個以上有し、かつ、そのうちの１個が分子の中心部に位置する含窒素化合物が好ましい。」
　
（５）「【００２８】金属電極層８としては特に限定されず、マグネシウムと銀の共蒸着層等を挙げることができる。このような構成の有機ＥＬ素子２を電源に接続し、電圧を印加すると、金属電極層８と透明電極層４との間に電流が流れ、電子輸送性発光層５の金属電極層８が形成されている部分が主として発光する。
【００２９】また、図２に示すように、金属電極層８の形状は、反射型液晶セル１の開口部１ａと重ならないような大きさの格子形状となっている。また、透明電極層４が反射型液晶セル１側に設けられ、金属電極層８が正孔輸送層６及び電子輸送性発光層７を挟んで透明電極層４の反対側に設けられているため、発光面は反射型液晶表示セル１側になっている。
【００３０】従って、図２に示すように、位置合わせを行った後、有機ＥＬ素子２を液晶表示セル１の前面に貼り付けると、本発明の液晶表示装置が完成する。この液晶表示装置においては、金属電極層８が形成されていない部分に、反射型液晶セル１の開口部１ａが位置するようになり、発光部から出た光は、反射型液晶セル１の有効表示部に照射されるため、外光の充分でないところでも、高コントラストで、視認性の高い液晶表示装置となる。
【００３１】この液晶表示装置では、外光の充分でない場合等、必要時のみに有機ＥＬ素子２を駆動すればよいので、消費電力を低く抑えることができる。また、上記液晶表示装置を構成する有機ＥＬ素子２は、低消費電力であるので、長時間のバッテリー駆動が必要な携帯用の表示装置としても最適であり、有機ＥＬ素子２は薄いため、嵩張らない厚さの薄い液晶表示装置となる。
【００３２】更に、有機ＥＬ素子２は、プラスチックフィルム基板３を用いているため、ガラス基板を有するＥＬ素子と比べて割れにくく、取り扱い易いため、位置合わせもスムーズに行うことができる。プラスチックフィルム基板３は、可撓性を有するため、有機ＥＬ素子２を貼り付けた状態で、タッチパネル入力も可能となる。
【００３３】なお、有機ＥＬ素子２において、正孔注入層５は、必須のものではなく、従って、有機ＥＬ素子２は、プラスチックフィルム基板３、透明電極層４、正孔輸送層６、電子輸送性発光層７、及び、金属電極層８から構成されていてもよい。」
　
（６）「【００３６】実施例１
まず、図１に示す構成の有機ＥＬ素子２を作製した。この有機ＥＬ素子２では、プラスチックフィルム基板３としてＰＥＴフィルム、透明電極層４としてＩＴＯ電極層、正孔注入層５の材料としてｍ−ＭＴＤＡＴＡ、正孔輸送層６の材料しとてＴＰＤ、電子輸送性発光層７の材料としてＡｌｑ、金属電極層８の材料としてマグネシウムと銀の共蒸着膜を用いた。また、金属電極層８の形状は、図２に示した形状とした。次に、この有機ＥＬ素子２を、金属電極層８が反射型液晶セル１の開口部１ａと重ならないように貼り付けて液晶表示装置を作製し、暗所で有機ＥＬ素子２を発光させ、画面を観察したところ、充分に高コントラストの表示がなされていた。」
　
　したがって、引用例には以下の発明が記載されている。
　
「前面に照明装置を備えた反射型の液晶表示装置であって、
　前記照明装置はプラスチックフィルム基板上に、順次、透明電極層、正孔注入層、正孔輸送層、電子輸送性発光層、金属電極層が、真空蒸着等の薄膜形成法を用いて形成された有機ＥＬ素子であって、前記金属電極層の形状は格子形状である、液晶表示装置。」
　
第４．対比
　本願発明と引用発明を対比すると、以下のとおりである。
（１）引用発明の「液晶表示装置」は「前面に照明装置を備えた反射型の液晶表示装置」であり、また、「反射型液晶表示装置は低消費電力であるため、屋外で使われることが多く、小型情報携帯端末に搭載されていることが多い」（摘記事項（２））との記載からみて、引用発明が「複数の反射手段を有する液晶表示装置と、該液晶表示装置の表示面の前方に配置されて、該複数の反射手段の方向へ光を発する照明手段を有する液晶表示装置」の構成を有することは自明である（必要ならば、原査定の拒絶の理由に引用された特開２０００−２９００８号公報を参照。）。
（２）引用発明の「照明装置」は本願発明の「照明手段」に相当し、また、「プラスチックフィルム基板上に、順次、透明電極層、正孔注入層、正孔輸送層、電子輸送性発光層、金属電極層が、真空蒸着等の薄膜形成法を用いて形成された有機ＥＬ素子であって、前記金属電極層の形状は格子形状である」から、「通電すると光を発する性質の材料を含む光を発する領域と、光を透過する領域とを有し」ている。
　
　したがって、本願発明と引用発明は、
「複数の反射手段を有する液晶表示装置と、該液晶表示装置の表示面の前方に配置されて、該複数の反射手段の方向へ光を発する照明手段を有する液晶表示装置であって、
　前記照明手段は、通電すると光を発する性質の材料を含む光を発する領域と、光を透過する領域とを有する液晶表示装置。」
　の点で一致し、以下の点で相違する。
　
（相違点）
　本願発明は「前記照明手段の前記光を発する領域の前記液晶表示装置へ対向しない側の面が光を吸収する性質を持つ」のに対して、引用発明はこの構成を有するものとはいえない点。
　
第５．判断
　液晶表示装置において、表示に寄与しない反射光による表示特性の劣化を防止する手段を講じることは周知技術であり、例えば、
（１）特開平１１−９５２０４号公報（以下「周知例１」という）では「【０００５】【発明が解決しようとする課題】反射型液晶表示装置は、周囲から入射する光を光源として利用する。これを反射層で反射し、液晶層で反射層の見かけの反射率を変調することにより表示を行う。反射層以外の構成要素が光を反射すると、その見かけの反射率は液晶層により変調できないために表示特性が低下する。下側の基板に反射層を設け、上側の基板にアクティブ素子等を設けた場合には、金属からなる走査配線と信号配線が光を反射するために表示特性が低下する。」として「【０００９】【課題を解決するための手段】本発明は、走査配線及び信号配線による光反射を低減するために、反射防止層を設ける。この反射防止層は、走査配線及び信号配線の使用者に面する側に位置するように形成し、その分布は走査配線及び信号配線に対応し、使用者側から見て走査配線及び信号配線を覆うように分布させる。反射防止層は、金属酸化膜や染料あるいは顔料等の低反射率で光吸収性の物質であれば良い。」とし、
（２）特開平１１−９５６８７号公報（以下「周知例２」という）では「【００１１】【発明が解決する課題】しかしながら、従来の液晶パネルではブラックマトリクス１２を金属材料で形成したため、例えば、開口率が６０％であれば、残り４０％はブラックマトリクス１２でなる鏡のようなものである。図１０（Ａ）に示すように、画素電極１４の隙間２１から光３０が入射すると、矢印３１で示すように、ブラックマトリクス１２で光が反射される。この反射光３１は表示に寄与しない光であり、表示特性の劣化の原因となる。」として「【００１８】【課題を解決するための手段】上述した問題点を解消するために、本発明に係る表示装置は、画素ごとに電気的に分離された複数の画素電極と、各画素電極に接続された能動素子と、前記画素電極よりも下層に形成され、前記画素電極の隙間を覆う遮光膜とが同一基板上に形成された画素領域を備えた表示装置であって、前記遮光膜は、電極層と、該電極層上に形成された中間膜とを有し、前記中間物膜は、可視光を吸収する光吸収層を少なくとも１層有することを特徴とする表示装置。【００１９】即ち、本発明は、従来のＢＭ・オン・ＴＦＴ構造において、金属、金属化合物、合金等の可視光を反射する電極層上に、可視光を遮光する光吸収層を少なくとも１層設けている。この構成により、画素電極の隙間から入射した光が遮光膜表面で反射することを防止し、表示特性を向上させる。」とし、
（３）特開平１０−３０７２９６号公報（以下「周知例３」という）では「【０００６】【発明が解決しようとする課題】従来のＩＰＳ方式の液晶表示装置は、以上のように構成されており、ＴＦＴアレイ基板側に形成された対向電極２や画素電極４等の電極は、金属材料を用いて構成されているにもかかわらず、特に対策が施されていないため、ＴＦＴアレイ基板側に形成された電極が反射板のように作用し、視認側から入射した外光を反射させるため、従来のＴＮ方式の液晶表示装置に比較して、液晶表示装置の画面の視認性が低いという問題があった。【０００７】この発明は、上記のような問題を解決するためになされたもので、ＩＰＳ方式の液晶表示装置において、視認側から入射した外光が、ＴＦＴアレイ基板に形成された金属材料からなる電極表面で反射するのを防止して、視認性の低下を防止できるＩＰＳ方式の液晶表示装置を提供することを目的とする。」として「【００２３】実施の形態４．図５はこの発明の実施の形態４を示すＴＦＴアレイ基板の断面図である。図において、２ｄ、３ｄ、４ｄは対向電極２、ソース配線３、画素電極４の表面層に形成された反射光制御機能を有する光吸収層で、黒色顔料、染料等による黒色樹脂、あるいはＰｒＭｎＯ3等の黒色無機物からなる絶縁体である。」としている。
　ここで、引用発明の金属電極層の、反射型液晶セルへ対向しない側の面は、図２のように格子形状であって視認者側に面するものであるから、当該面を、周知例１ないし３に示されるように、光を吸収する性質を持つものとすることは、当業者が容易にできることである。
　また、このような効果は、当業者が予測しうる程度のものである。
　
第６．むすび
　以上のとおり、本願発明は引用例に記載された発明及び周知技術に基づいて当業者が容易に発明をすることができたものであるから、特許法第２９条第２項の規定により特許を受けることができない。
　よって結論のとおり審決する。